(57)【要約】【課題】被収容物の重力など底壁にかかる外力に対して変形し難い容器を提供することを課題とする。【解決手段】熱可塑性樹脂シートが熱成形されてなる容器１であって、被収容物を載置するための表面１１Ｕ及び該表面１１Ｕの反対側の面である裏面１１Ｌを有する底壁１１と、該底壁１１の外周縁から立設された枠状の側壁１２と、前記底壁１１の表面１１Ｕの中央部領域から外周縁側に亘って凸設される長尺な第一リブ１３であって、前記底壁１１の周方向に離間して複数配置される第一リブ１３と、該第一リブ１３が設けられる表面１１Ｕの中央部領域と外周縁との間の位置で、中央部領域を囲うように前記周方向に沿って凸設される第二リブ１４とを備え、前記第二リブ１４は、周方向に長尺な凸状の凸部が該周方向に離間して複数配置されて構成され、各凸部が前記第一リブ１３に交わっていることを特徴とする。【選択図】図１
2014108820.tif 000002
【特許請求の範囲】
【請求項１】
熱可塑性樹脂シートが熱成形されてなる容器であって、
被収容物を載置するための表面及び該表面の反対側の面である裏面を有する底壁と、
該底壁の外周縁から立設された枠状の側壁と、
前記底壁の何れか一方の面の中央部領域から外周縁側に亘って凸設される長尺な第一リブであって、前記底壁の周方向に離間して複数配置される第一リブと、
該第一リブが設けられる前記一方の面の中央部領域と外周縁との間の位置で、中央部領域を囲うように前記周方向に沿って凸設される第二リブとを備え、
前記第二リブは、周方向に長尺な凸状の凸部が該周方向に離間して複数配置されて構成され、各凸部が前記第一リブに交わっていることを特徴とする容器。
【請求項２】
各凸部は、少なくとも２つの第一リブの長手方向途中位置同士を周方向に連結するように設けられており、各凸部の周方向の長さは、凸部同士の周方向の間隔よりも長いことを特徴とする請求項１記載の容器。
【発明の詳細な説明】
【技術分野】
【０００１】
本発明は、熱可塑性樹脂シートが熱成形されてなる容器（例えば、豆腐用容器）に関する。
【背景技術】
【０００２】
従来、この種の容器としては、熱可塑性樹脂シートが熱成形されてなり、上面が開口する収容凹部を備える容器であって、被収容物（例えば、豆腐と水）を収容凹部に収容して開口を樹脂フィルムで閉塞することにより密封される容器が知られている（例えば、特許文献１）。かかる容器の収容凹部は、被収容物を載置するための表面を有する底壁と、該底壁の外周縁から立設された枠状の側壁とで構成されている。
【０００３】
このような容器には、材料コストなどの関係から、従来、薄肉化が求められており、薄肉でありながら必要な強度を発揮させるために底壁や側壁に容器内側に突出する断面逆Ｕ字状のリブを形成させたものが採用されている。
【０００４】
例えば、底壁表面の中央部領域から外周縁側に亘って凸設される長尺な第一リブであって、前記底壁の周方向に離間して複数配置される第一リブと、底壁表面の中央部領域と外周縁との間の位置で、全ての第一リブの長手方向途中位置同士を連結するように前記周方向に沿って環状（枠状）に凸設される環状リブとを備えてなる容器が広く用いられている。
【０００５】
ここで、第一リブは、被収容物の重力など底壁にかかる外力に対して、底壁を第一リブの長手方向に沿って表面から裏面側又はその逆向きに撓み難くするように補強するものである。しかし、この第一リブだけでは、底壁が第一リブの長手方向と交わる周方向に沿って撓み易い。そこで、かかる容器では、第一リブの長手方向と交わる周方向に沿って環状リブを設けることで、底壁を周方向に沿って表面から裏面側又はその逆向きに撓み難くするように補強している。
【０００６】
ところが、上記従来の容器にあっては、環状リブを設けたことで、底壁が環状リブの径方向（即ち第一リブの長手方向）に沿って撓み易くなってしまい、被収容物の重力などの外力が底壁にかかった際に底壁が変形し易い。このように容器の強度の点で、改善の余地があった。
【先行技術文献】
【特許文献】
【０００７】
【特許文献１】特開２００７−１２５００８号公報
【発明の概要】
【発明が解決しようとする課題】
【０００８】
そこで、本発明は、上記問題に鑑みてなされたもので、被収容物の重力など底壁にかかる外力に対して変形し難い容器を提供することを課題とする。
【課題を解決するための手段】
【０００９】
本発明の容器は、熱可塑性樹脂シートが熱成形されてなる容器であって、被収容物を載置するための表面及び該表面の反対側の面である裏面を有する底壁と、該底壁の外周縁から立設された枠状の側壁と、前記底壁の何れか一方の面の中央部領域から外周縁側に亘って凸設される長尺な第一リブであって、前記底壁の周方向に離間して複数配置される第一リブと、該第一リブが設けられる前記一方の面の中央部領域と外周縁との間の位置で、中央部領域を囲うように前記周方向に沿って凸設される第二リブとを備え、前記第二リブは、周方向に長尺な凸状の凸部が該周方向に離間して複数配置されて構成され、各凸部が前記第一リブに交わっていることを特徴とする。
【００１０】
かかる構成からなる容器によれば、第一リブと第二リブとを底壁の同じ面に備え、第二リブは、周方向に長尺な凸状の凸部が該周方向に離間して複数配置されて構成され、各凸部が前記第一リブに交わっているため、第一リブによって、底壁を第一リブの長手方向に沿って表面から裏面側又はその逆向きに撓み難くするように補強できると共に、第二リブによって、底壁を第一リブの長手方向と交わる周方向に沿って表面から裏面側又はその逆向きに撓み難くするように補強できるので、被収容物の重力など底壁にかかる外力に対して容器を変形し難くすることができる。
【００１１】
また、本発明の容器では、各凸部は、少なくとも２つの第一リブの長手方向途中位置同士を周方向に連結するように設けられており、各凸部の周方向の長さは、凸部同士の周方向の間隔よりも長くなるように構成することも可能である。
【００１２】
かかる構成からなる容器によれば、第二リブによって、底壁を第一リブの長手方向と交わる周方向に沿って表面から裏面側又はその逆向きに極めて撓み難くするように補強できるので、被収容物の重力など底壁にかかる外力に対して容器を変形し難くすることができる。
【発明の効果】
【００１３】
本発明の容器では、第一リブと第二リブとを底壁の同じ面に備え、第二リブは、周方向に長尺な凸状の凸部が該周方向に離間して複数配置されて構成され、各凸部が前記第一リブに交わっているため、第一リブによって、底壁を第一リブの長手方向に沿って表面から裏面側又はその逆向きに撓み難くするように補強できると共に、第二リブによって、底壁を第一リブの長手方向と交わる周方向に沿って表面から裏面側又はその逆向きに撓み難くするように補強できるので、被収容物の重力など底壁にかかる外力に対して容器を変形し難くすることができる。
【図面の簡単な説明】
【００１４】
【図１】本実施形態に係る容器の斜視図を示す。
【図２】同容器の平面図を示す。
【図３】同容器の底面図を示す。
【図４】同容器の一側面図を示す。
【発明を実施するための形態】
【００１５】
以下、本発明に係る容器の一実施形態について、豆腐用容器を例にして図１ないし図４を参照しつつ説明する。
【００１６】
本実施形態の容器１は、熱可塑性樹脂シートに真空成形や圧空成形といった熱成形が施されて立体的な形状が付与されたものである。具体的には、容器１は、上部に矩形開口を有する収容凹部１０を有し、該収容凹部１０が、被収容物として水とともに豆腐を収容させた状態で樹脂フィルムによって密封されるものである。
【００１７】
本実施形態の容器１は、図１，２に示すように、前記豆腐の収容スペースを構成している収容凹部１０と、該収容凹部１０の開口縁１０ａから外向きに略水平に延びるフランジ部２０とを有している。
【００１８】
収容凹部１０は、上面開口の凹形状をなしており、豆腐の平面視における輪郭形状よりも一回り大きな平面視矩形の底壁１１と、該底壁１１の外周縁から僅かに外向き傾斜した状態で立ち上がる矩形枠状の側壁１２とを有している。
【００１９】
底壁１１は、被収容物（豆腐と水）を載置するための表面１１Ｕ及び該表面１１Ｕの反対側の面である裏面１１Ｌを有する。この底壁１１の表面１１Ｕには、図２に示すように、中央部領域（中央部とその近傍を含む領域）から外周縁側に亘って長尺な第一リブ１３が複数凸設されており、中央部領域と外周縁との間の位置で、中央部領域を囲うように底壁１１の周方向に沿って第二リブ１４が凸設されている。尚、容器１は、熱可塑性樹脂シートが熱成形されてなるため、底壁１１の表面側における凸設は、裏面側における凹設を意味しており、即ち表面１１Ｕと裏面１１Ｌとは、凹設と凸設とに関して互いに逆をなす面である（図２，３参照）。
【００２０】
複数の第一リブ１３は、中央部領域から矩形の外周縁の各辺に亘って設けられている。各第一リブ１３は、平面視で直線状をなし、断面逆Ｕ字形状で表面１１Ｕ側に凸状をなす。各第一リブ１３は、表面１１Ｕ側においては凸入して凸形状をなし、裏面１１Ｌ側においては凹入して凹形状をなしている。また、各第一リブ１３は、長手方向と交差する周方向（又は短手方向）に互いに所定間隔をあけて（本実施形態では、等間隔で）離間するように配置されている。尚、第一リブ１３同士が離間する領域は、溝になっている。つまり、この溝は、表面１１Ｕ側においては凹入して凹形状をなし、裏面１１Ｌ側においては凸入して凸形状をなしている。
【００２１】
第二リブ１４は、周方向に長尺な凸状の凸部が該周方向に離間して複数配置されて構成され、各凸部が前記第一リブ１３（第一リブ１３の長手方向途中位置）に交わっている。また、各凸部は、少なくとも２つの第一リブ１３の長手方向途中位置同士を周方向に連結するように設けられており、各凸部の周方向の長さは、凸部同士の周方向の間隔よりも長くなるように構成されている。かかる第二リブ１４は、全て又は一部の第一リブ１３の長手方向途中位置に交わるように構成されることができ、本実施形態の第二リブ１４は、全ての第一リブ１３の長手方向途中位置に交わっている（図２参照）。
【００２２】
本実施形態の各凸部は、矩形の外周縁よりも中央部側寄りの位置で、外周縁（又は周方向）に沿って互いに離間して配置されている。詳細には、各凸部は、外周縁の形状よりも小さい矩形における４つの隅部と４つの辺中央部とに各々設けられており、各凸部は、互いに周方向に離間している。前記４つの隅部に対応して設けられている凸部１４ａは、平面視で略Ｌ形状をなしており、１０個の第一リブ１３の長手方向途中位置同士を周方向に連結するように設けられている（図２参照）。また、前記４つの辺中央部に対応して設けられている凸部１４ｂは、平面視で直線状をなしており、５つの第一リブ１３の長手方向途中位置同士を周方向に連結するように設けられている（図２参照）。また、凸部同士の離間幅（距離）は、第一リブ１３同士の周方向の離間幅（又は２つの第一リブ間の溝幅）と同一又は略同一であり、各凸部の周方向の長さに比べて短い。また、各凸部は、表面１１Ｕ側においては凸入して凸形状をなし、裏面１１Ｌ側においては凹入して凹形状をなしている。この各凸部の表面１１Ｕ側に凸入する高さは、第一リブ１３の表面１１Ｕ側に凸入する高さよりも高くなっている。
【００２３】
かかる底壁１１の第一リブ１３は、外周縁を超えて側壁１２に延在している。この側壁１２における第一リブ１３は、開口縁１０ａよりも内側に向けて突出した状態で、側壁１２の高さ方向に沿って延在しており、周方向に所定の間隔（等間隔）を設けて複数配置されている（図１，４参照）。
【００２４】
上記構成の容器１では、収容凹部１０に水とともに豆腐を収容する。収容後、フランジ部２０の上面側に沿って収容凹部１０を包囲するように前記樹脂フィルムを接着させて、収容凹部１０の上面開口を閉塞することで、豆腐を密封している。
【００２５】
ここで、収容凹部１０に水とともに豆腐を収容した際には、底壁１１に豆腐と水とによる重力がかかる。底壁１１には、複数の第一リブ１３と第二リブ１４とが設けられており、複数の第一リブ１３は、底壁１１を第一リブ１３の長手方向に沿って表面１１Ｕから裏面１１Ｌ側又はその逆向きに撓み難くするように補強し、第二リブ１４は、底壁１１を第一リブ１３の長手方向と交わる周方向に沿って表面１１Ｕから裏面１１Ｌ側又はその逆向きに撓み難くするように補強している。よって、かかる容器１は、底壁１１に豆腐と水とによる重力がかかった状態において変形し難くなっている。
【００２６】
以上、本実施形態に係る容器１によれば、熱可塑性樹脂シートが熱成形されてなる容器１であって、被収容物を載置するための表面１１Ｕ及び該表面１１Ｕの反対側の面である裏面１１Ｌを有する底壁１１と、該底壁１１の外周縁から立設された枠状の側壁１２と、前記底壁１１の表面１１Ｕの中央部領域から外周縁側に亘って凸設される長尺な第一リブ１３であって、前記底壁１１の周方向に離間して複数配置される第一リブ１３と、該第一リブ１３が設けられる表面１１Ｕの中央部領域と外周縁との間の位置で、中央部領域を囲うように前記周方向に沿って凸設される第二リブ１４とを備え、前記第二リブ１４は、周方向に長尺な凸状の凸部が該周方向に離間して複数配置されて構成され、各凸部が前記第一リブ１３に交わっていることを特徴とする。
【００２７】
かかる構成からなる容器１によれば、第一リブ１３と第二リブ１４とを底壁１１の同じ表面１１Ｕに備え、第二リブ１４は、周方向に長尺な凸状の凸部が該周方向に離間して複数配置されて構成され、各凸部が前記第一リブ１３に交わっているため、第一リブ１３によって、底壁１１を第一リブ１３の長手方向に沿って表面１１Ｕから裏面１１Ｌ側又はその逆向きに撓み難くするように補強できると共に、第二リブ１４によって、底壁１１を第一リブ１３の長手方向と交わる周方向に沿って表面１１Ｕから裏面１１Ｌ側又はその逆向きに撓み難くするように補強できるので、被収容物の重力など底壁１１にかかる外力に対して容器１を変形し難くすることができる。
【００２８】
また、本実施形態に係る容器１では、各凸部は、少なくとも２つの第一リブ１３の長手方向途中位置同士を周方向に連結するように設けられており、各凸部の周方向の長さは、凸部同士の周方向の間隔よりも長くなるように構成されている。
【００２９】
かかる構成からなる容器１によれば、第二リブ１４によって、底壁１１を第一リブ１３の長手方向と交わる周方向に沿って表面１１Ｕから裏面１１Ｌ側又はその逆向きに極めて撓み難くするように補強できるので、被収容物の重力など底壁１１にかかる外力に対して容器１を変形し難くすることができる。
【００３０】
尚、本発明は、前記実施形態に限定されるものではなく、本発明の要旨を逸脱しない範囲で種々の変更が可能である。
【００３１】
本実施形態の容器１は、豆腐用容器として構成される場合について説明したが、これに限らず、容器１は、こんにゃくなどその他食品用の容器として構成されることも可能である。
【００３２】
また、本実施形態の容器１を形成する熱可塑性樹脂シートや、該容器の密封に用いられる樹脂フィルムとしては特に限定されず、形状保持性に優れた白色や黒色の熱可塑性樹脂シート、及び、内部のカット豆腐が視認可能な透明性を有する樹脂フィルムを採用することができる。
【００３３】
例えば、本実施形態の容器１を形成させるための前記熱可塑性樹脂シートとしては、ポリエチレンテレフタレート樹脂シート、ポリブチレンテレフタレートシート、ポリ乳酸樹脂シートなどのポリエステル系樹脂シート；ポリエチレン樹脂シート、ポリプロピレン樹脂シート、エチレン−酢酸ビニル共重合体樹脂シートなどのポリオレフィン系樹脂シート；ポリスチレン樹脂シート、ハイインパクトポリスチレン樹脂シートなどのポリスチレン系樹脂シート、ＰＡ６（ε−カプロラクタム開環重合体）シート、ＰＡ６６（アジピン酸とヘキサメチレンジアミンとの共縮重合体）シート、芳香族ポリアミド樹脂シートなどのポリアミド系樹脂シート、ポリ塩化ビニル樹脂シート、ポリカーボネート樹脂シートなどの樹脂シートや２種類以上の樹脂シートが積層された積層シート、前記樹脂シートと不織布などの樹脂シート以外のシートと樹脂シートとが積層された積層シートなどが採用可能である。
【００３４】
尚、容器１の形成に用いる熱可塑性樹脂シートとしては、ポリオレフィン系樹脂シートが好適であり、なかでもポリプロピレン樹脂シートが特に好ましい。
【００３５】
また、本実施形態では、底壁１１は、平面視矩形をなす場合について説明したが、これに限らず、底壁１１は、平面視で円形や多角形（矩形を除く）をなして構成されることも可能である。
【００３６】
また、本実施形態では、複数の第一リブ１３と第二リブ１４とは、底壁１１の表面１１Ｕに凸設される場合について説明したが、これに限らず、複数の第一リブ１３と第二リブ１４とは、底壁１１の裏面１１Ｌに凸設されることも可能である。
【００３７】
また、本実施形態では、第二リブ１４の各凸部は、平面視で略Ｌ形状や直線状をなす場合について説明したが、これに限らず、各凸部は、平面視で円弧状をなし、第二リブ１４は、平面視で円形状となるように複数の凸部が周方向に離間して配置されて構成されることも可能である。
【００３８】
また、本実施形態では、第二リブ１４の各凸部は、５つ又は１０個の第一リブの長手方向途中位置同士を周方向に連結するように設けられる場合について説明したが、これに限らず、第二リブ１４の各凸部は、１つの第一リブ１３の長手方向途中位置を周方向に交わる（又は横断する）ように設けられたり、２つ以上（５つ又は１０個を除く）の第一リブ１３の長手方向途中位置同士を周方向に連結するように設けられることも可能である。
【符号の説明】
【００３９】
１・・・容器、１０・・・収容凹部、１０ａ・・・開口縁、１１・・・底壁、１１Ｌ・・・裏面、１１Ｕ・・・表面、１２・・・側壁、１３・・・第一リブ、１４・・・第二リブ、１４ａ，１４ｂ・・・第二リブの凸部、２０・・・フランジ部
【図１】
2014108820.tif 000003
【図２】
2014108820.tif 000004
【図３】
2014108820.tif 000005
【図４】
2014108820.tif 000006